(57)【要約】      （修正有）【課題】無線通信方式において、送信された信号を推定する方法を提供する。【解決手段】パイロットチャネルおよび少なくとも１つの他のチャネルを含む、無線信号が受信される。送信された信号はイコライザーおよび受信した無線信号を用いて推定される。イコライザーは、受信した無線信号から推定されたパイロットを使用する適応アルゴリズムの使用を介して適応される複数のタップを有したフィルターを含む。パイロットチャネルは、少なくとも１つの他のチャネルを含んだ無線信号に送信される。推定されたパイロットは抽出され、適応アルゴリズムに供給される。【選択図】図１０
2010183618.tif 000002
【特許請求の範囲】
【請求項１】
下記を具備する、無線通信システムにおいて、送信された信号を推定する方法：
パイロットチャネルおよび少なくとも１つの他のチャネルを含む無線信号を受信する；
イコライザーおよび前記受信した無線信号を用いて送信された信号を推定する、前記イコライザーは、前記受信された無線信号から推定された推定パイロットを使用する適応アルゴリズムの使用を介して適応される複数のタップを有したフィルターを含み、前記パイロットチャネルは、前記少なくとも１つの他のチャネルで送信される；
前記推定されたパイロットを抽出する；および
前記推定されたパイロットを前記適応アルゴリズムに供給する。
【請求項２】
前記適応アルゴリズムは反復アルゴリズムである、請求項１に記載の方法。
【請求項３】
前記パイロットチャネルは、符号分割多重である、請求項１に記載の方法。
【請求項４】
前記無線信号はさらに直交チャネルおよび非直交チャネルを具備する、請求項３に記載の方法。
【請求項５】
前記方法は移動局により実施される、請求項３に記載の方法。
【請求項６】
前記方法は基地局で実施される、請求項３に記載の方法。
【請求項７】
前記イコライザーは、有限インパルス応答(ＦＩＲ）フィルターを具備する、請求項１に記載の方法。
【請求項８】
前記イコライザーは無限インパルス応答(ＩＩＲ）フィルターを具備する、請求項１に記載の方法。
【請求項９】
前記フィルタリングは、周波数領域で実行される、請求項１に記載の方法。
【請求項１０】
前記適応アルゴリズムは、パイロットシンボル間隔ごとに１回使用され、前記タップを更新する、請求項１に記載の方法。
【請求項１１】
前記適応アルゴリズムは、パイロットシンボル間隔ごとにＮ回使用され、前記タップを更新する、ただしＮは任意の正の整数である、請求項１に記載の方法。
【請求項１２】
前記適応アルゴリズムは、Ｎ番目のパイロットシンボル間隔ごとに１回使用され、前記タップを更新する、ただしＮは１より大きい任意の正の整数であり、請求項１に記載の方法。
【請求項１３】
前記適応アルゴリズムは、新しいタップ値が収束するまで新しいタップ値に適応し続ける、請求項１に記載の方法。
【請求項１４】
前記適応アルゴリズムは、ある期間、新しいタップ値に適応し続ける、請求項１に記載の方法。
【請求項１５】
前記適応アルゴリズムは、前記イコライザーが現在のチャネル条件に一致しないようにチャネル条件が変更したとき、適応を実行する、請求項１に記載の方法。
【請求項１６】
前記行為は、並列に実行される、請求項１に記載の方法。
【請求項１７】
前記タップは等間隔である、請求項１に記載の方法。
【請求項１８】
前記タップは非等間隔である、請求項１に記載の方法。
【請求項１９】
前記パイロットチャネルは、連続的に送信される、請求項１に記載の方法。
【請求項２０】
前記パイロットチャネルは連続的に送信されない、請求項１に記載の方法。
【請求項２１】
前記少なくとも１つの他のチャネルは、連続的に送信される、請求項１に記載の方法。
【請求項２２】
前記少なくとも１つの他のチャネルは、連続的に送信されない、請求項１に記載の方法。
【請求項２３】
前記少なくとも１つの他のチャネルは、トラヒックチャネルを具備する、請求項１に記載の方法。
【請求項２４】
下記を具備する、移動局が送信された信号を推定する無線通信システムに使用する移動局：
パイロットチャネルおよび少なくとも１つの他のチャネルを具備する無線信号を受信するための少なくとも１つのアンテナ；
少なくとも１つのアンテナと電子通信する受信機；
前記送信された信号を推定するイコライザー、前記イコライザーは、前記受信した無線信号から推定される推定パイロットを使用する適応アルゴリズムの使用を介して適応される複数のタップを有したフィルターを含み、前記パイロットチャネルは、前記少なくとも１つの他のチャネルで送信される；および
前記推定されたパイロットを抽出し、前記抽出したパイロットを前記適応アルゴリズムに供給するコンポーネント。
【請求項２５】
前記適応アルゴリズムは、反復アルゴリズムである、請求項２４に記載の移動局。
【請求項２６】
前記イコライザーは、ＦＩＲフィルターを具備する、請求項２４に記載の移動局。
【請求項２７】
前記イコライザーはＩＩＲフィルターを具備する、請求項２４に記載の移動局。
【請求項２８】
フィルタリングは、周波数領域で行われる、請求項２４に記載の移動局。
【請求項２９】
前記適応アルゴリズムは、パイロットシンボル間隔ごとに１回前記タップを更新する、請求項２４に記載の移動局。
【請求項３０】
前記適応アルゴリズムは、パイロットシンボル間隔ごとにＮ回前記タップを更新する、但しＮは、任意の正の整数である、請求項２４に記載の移動局。
【請求項３１】
前記適応アルゴリズムは、Ｎ番目のパイロットシンボル間隔ごとに１回前記タップを更新する、ただしＮは１より大きい任意の正の整数である、請求項２４に記載の移動局。
【請求項３２】
前記適応アルゴリズムは、新しいタップ値が収束するまで新しいタップ値に適応し続ける、請求項２４に記載の移動局。
【請求項３３】
前記パイロットチャネルは符号分割多重されている、請求項２４に記載の移動局。
【請求項３４】
下記を具備する、装置が送信された信号を推定する無線通信システムに使用する装置：
パイロットチャネルおよび少なくとも１つの他のチャネルを具備する無線信号を受信する少なくとも１つのアンテナ；
前記少なくとも１つのアンテナと電子通信する受信機；
前記送信された信号を推定するイコライザー、前記イコライザーは、前記受信した無線信号から推定される推定パイロットを使用する適応アルゴリズムの使用を介して適応される複数のタップを有したフィルターを含み、前記パイロットチャネルは、前記少なくとも１つの他のチャネルで送信される；および
前記推定されたパイロットを抽出し、前記推定されたパイロットを前記適応アルゴリズムに供給するコンポーネント。
【請求項３５】
前記適応アルゴリズムは、反復アルゴリズムである、請求項３４に記載の装置。
【請求項３６】
前記イコライザーは、ＦＩＲフィルターを具備する、請求項３４に記載の装置。
【請求項３７】
前記イコライザーはＩＩＲフィルターを具備する、請求項３４に記載の装置。
【請求項３８】
フィルタリングは、周波数領域で行われる、請求項３４に記載の装置。
【請求項３９】
前記適応アルゴリズムは、パイロットシンボル間隔ごとに１回前記タップを更新する、請求項３４に記載の装置。
【請求項４０】
前記適応アルゴリズムは、パイロットシンボル間隔ごとにＮ回前記タップを更新する、但しＮは、任意の正の整数である、請求項３４に記載の装置。
【請求項４１】
前記適応アルゴリズムは、Ｎ番目のパイロットシンボル間隔ごとに１回前記タップを更新する、ただしＮは１より大きい任意の正の整数である、請求項３４に記載の装置。
【請求項４２】
前記適応アルゴリズムは、新しいタップ値が収束するまで新しいタップ値に適応し続ける、請求項３４に記載の装置。
【請求項４３】
前記パイロットチャネルは符号分割多重される、請求項３４に記載の装置。
【請求項４４】
前記装置は移動局において具現化される、請求項３４に記載の装置。
【請求項４５】
前記装置は基地局において具現化される、請求項３４に記載の装置。
【請求項４６】
下記を具備する、移動局が送信された信号を推定する無線通信システムに使用する移動局：
パイロットチャネルおよび少なくとも１つの他のチャネルを含む第１の無線信号を受信する手段；
前記送信された信号を推定する手段、前記推定手段は、前記受信した無線信号から推定された推定パイロットを使用する適応するための手段の使用を介して適応された複数のタップを含み、前記パイロットチャネルは、前記少なくとも１つの他のチャネルで送信された；および
前記推定されたパイロットを抽出し、前記推定されたパイロットを前記適応手段に供給する手段。
【発明の詳細な説明】
【技術分野】
【０００１】
この発明は、一般に通信システムにおける等化に関し、特に、無線通信システムとともに使用される適応イコライザーに関する。
【背景技術】
【０００２】
通信システムは一方の装置から他方の装置へ情報を送信するために使用される。
【０００３】
送信に先立って、情報は、通信チャネル上に送信するのに適したフォーマットに符号化される。送信される信号は、通信チャネルを介して移動するとき歪を生じる。
【０００４】
信号は、さらに送信の期間に拾得された雑音および干渉からの劣化を経験する。
【０００５】
符号歪みを作成する１つの影響はマルチパス伝播である。
【０００６】
マルチパス信号は、建造物および自然の形成からの反射により発生される同じ無線信号の異なるバージョンである。マルチパス信号は、信号をある場所で互いに相殺させる位相シフトを持っているかもしれない。マルチパス信号の位相取り消しによる信号の損失は、フェージングとして知られている。フェージングは、ユーザー通信を中断させるので、無線システムにおいて、問題である。例えば、無線通信装置によって送信された単一の無線信号のいくつかのマルチパスコピーは、樹木とビルディングからの反射により発生されるかもしれない。これらのマルチパスコピーは、位相オフセットにより互いに結合し、相殺するかもしれない。
【０００７】
信号に影響するかもしれない別の問題は不適当な信号対雑音比である。信号対雑音比（「ＳＮＲ」）は、周囲の雑音に関連した信号の電力を表す。信号が雑音から分けられるように、適切なＳＮＲを維持する必要がある。
【０００８】
帯域制限されたチャネルで一般に遭遇する干渉の一例は符号間干渉（ＩＳＩ）と呼ばれる。ＩＳＩが、チャネルの分散的性質により、送信されたシンボルパルスの拡散の結果生じる。それは隣接したシンボルパルスの重複に帰着する。チャネルの分散的性質はマルチパス伝播の結果である。受信される信号は解読され、オリジナルのあらかじめ符号化された形式に変換される。送信器と受信機の両方は、チャネル欠陥および干渉の影響を最小化するように設計されている。
【０００９】
様々な受信機設計は送信器とチャネルによって引き起こされた雑音と干渉を補償するために実施されるかもしれない。一例として、イコライザーは、マルチパスおよびＩＳＩを対処するための、およびＳＮＲを改善するための共通の選択である。イコライザーはひずみに対して訂正し、送信されたシンボルの推定値を発生する。ワイヤレス環境において、イコライザーは時間変化するチャネル条件を扱うために必要である。理想的には、イコライザーの応答はチャネル特性の変化に合わせて調節する。イコライザーが条件を変更することに応答する能力は、イコライザーの適応能力と関係がある。効率的で効果的な適応アルゴリズムを設計することにより、イコライザーを最適化することは、困難である。これは、競合する目標の平衡度を必要とするためである。
【００１０】
それゆえ、多様なシステムおよび条件に対して性能を最適化するイコライザー設計のための必要性が存在する。
【図面の簡単な説明】
【００１１】
【図１】図１は、多数のユーザーを支援するスペクトル拡散通信システムの図である。
【図２】図２は、通信システムにおける、基地局と移動局のブロック図である。
【図３】図３は、基地局と移動局の間のダウンリンクおよびアップリンクを図示するブロック図である。
【図４】図４は、ダウンリンクの実施形態におけるチャネルのブロック図である。
【図５】図５は、アップリンクの実施形態におけるチャネルのブロック図である。
【図６】図６は加入者装置の実施形態のブロック図である。
【図７】図７は、無線信号の送信を図示する機能ブロック図である。
【図８】図８は、無線信号の受信を図示する機能ブロック図である。
【図９】図９はＦＩＲフィルターの実施を図示するブロック図である。
【図１０】図１０は、移動局によって無線信号を受信する場合に適応イコライザーを使用する方法のフロー図である。
【発明を実施するための形態】
【００１２】
無線通信システムにおいて、送信された信号を推定する方法が開示される。パイロットチャネルおよび少なくとも１つの他のチャネルを含む無線信号が受信される。送信された信号は、イコライザーおよび受信した無線信号を用いて推定される。イコライザーは、受信した無線信号から推定された推定パイロットを使用する適応アルゴリズムの使用を通して適応される複数のタップを有するフィルターを含む。パイロットチャネルは、少なくとも１つの他のチャネルを含んだ無線信号内に送信される。推定されたパイロットは抽出され、適応アルゴリズムに供給される。
【００１３】
様々なアルゴリズムが適応アルゴリズムに使用されてもよい。例えば、反復アルゴリズムを使用してもよい。
【００１４】
この方法は様々な通信受信機の中で実施されてもよい。例えば、この方法は移動局内で実施してもよい。無線信号は、直交チャネルおよび非直交チャネルを含んでいてもよい。
【００１５】
この方法は、また基地局によって実施してもよい。
【００１６】
デジタルフィルターを用いてイコライザーを実施してもよい。使用されるかもしれない可能な１つのデジタルフィルターはＦＩＲフィルターである。ＩＩＲフィルターも使用されてもよい。さらに、フィルタリングは周波数領域で行なってもよい。
【００１７】
異なる適合する基準は、適応アルゴリズムと共に使用してもよい。一実施形態において、適応アルゴリズムは、パイロットシンボルインターバル毎に一度実施し、タップを更新してもよい。適応アルゴリズムは、パイロットシンボルインターバル毎にＮ回使用し、タップを更新してもよい。この場合、Ｎは正の整数である。他の実施形態において、適応アルゴリズムは、Ｎパイロットシンボルインターバル毎に１回使用し、タップを更新してもよい。この場合、Ｎは正の整数である。適応アルゴリズムは、新しいタップ値が収束するまで新しいタップ値に適応するように継続してもよいし、または、適応アルゴリズムは、ある期間適応するように継続してもよい。イコライザーが現在のチャネル条件と一致しないように、チャネル条件が変化したとき、適応アルゴリズムは、適応を実施してもよい。
【００１８】
無線通信システムにおいて使用される移動局も開示される。移動局は送信された信号を推定するために適応イコライザーを含む。移動局は、無線信号を受信するための少なくとも１本のアンテナと、少なくとも１本のアンテナと電子通信する受信機を含む。イコライザーは送信された信号を推定する。イコライザーは、受信した無線信号から推定された、推定パイロットを使用する適応アルゴリズムの使用を通して適応される複数のタップを有したフィルターを含む。パイロットチャネルは少なくとも１つの他のチャネルで送信される。移動局は、さらに推定されたパイロットを抽出し、推定されたパイロットを適応アルゴリズムに供給するコンポーネントを含む。
【００１９】
移動局のコンポーネントも適用可能であり、他の受信システムと共に使用してもよい。送信された信号を推定する適応イコライザーを含む無線通信システムに使用する装置も一般に開示される。この装置は、移動局、基地局、または無線信号を受信し処理する必要のある任意の他のシステムにおいて具現化してもよい。
【００２０】
ここに開示されたシステムと方法はマルチパス伝播を補償するために使用してもよい。
【００２１】
マルチパス信号は、建造物および自然な形成からの反射によって発生される、同じ無線信号の異なるバージョンである。マルチパス信号は、信号をある場所で互いに相殺させる位相シフトを持っていてもよい。マルチパス信号の位相取り消しによる信号の損失は、フェージングとして知られている。フェージングはユーザー通信を中断するので、無線システムにおける問題である。例えば、無線通信装置によって送信された単一の無線信号のいくつかのマルチパスコピーは、樹木とビルディングからの反射によって発生されるかもしれない。これらのマルチパスのコピーは、位相オフセットにより互いに結合し取り消すかもしれない。
【００２２】
ここに開示されたシステムと方法は、また、通信システムの中で使用される電力を最適化するのに有用かもしれない。ＣＤＭＡシステムは電力制御の利益を享受する。信号対雑音比（「ＳＮＲ」）は、周囲の雑音に関連する信号の電力を表す。信号が雑音から分離できるように適切なＳＮＲが維持されなければならない。ＣＤＭＡ信号は、所定のリンク方向に対して周波数または時間により分割されないので、その日の雑音成分は、すべての他の受信したＣＤＭＡ信号を含む。個々のＣＤＭＡ信号の電力が高すぎる場合、それは有効に他のすべてのＣＤＭＡ信号をかき消す。電力制御は、アップリンク（端末から基地局への送信）およびダウンリンク（基地局から端末への送信）上で使用される。アップリンクにおいては、電力制御は、基地局で受信されたすべてのユーザー信号のための適切な電力レベルを維持するために使用される。これらの受信されるＣＤＭＡ信号の電力レベルは最小化されるべきであるが、適切なＳＮＲを維持するのに依然として十分に強くなければならない。ダウンリンクにおいては、電力制御が様々な端末で受信されたすべての信号のための適切な電力レベルを維持するために使用される。これは、マルチパス信号により同じセルのユーザー間の干渉を最小化する。これは、さらに隣接セルのユーザー間の干渉を最小化する。ＣＤＭＡシステムは、ダイナミックに基地局および端末を制御しアップリンクとダウンリンク上の適切な電力レベルを維持する。動的制御は産業界で知られているオープンループ制御技術およびクローズドループ制御技術を介して適用される。
【００２３】
各さらなる信号は、すべての他の信号の雑音に加算するので、ＣＤＭＡシステムのレンジは、受信した信号の共通の電力レベルに直接関連する。平均受信電力レベルが低下するとき、ＳＮＲのユーザー雑音成分が縮小される。通信装置からのＣＤＭＡ信号電力を減少する技術は、ＣＤＭＡシステムの範囲を直接増加する。受信ダイバーシティーは、必要な信号電力を最小にするために使用される１つの技術である。より低い信号電力も、動作バッテリー寿命並びにレンジを増加させながら、ユーザー通信装置のコストを低減する。適切なＳＮＲが到達するかもしれない場合、高いデータレートが単に支援されるかもしれない場合、使用される電力を最適化することは、高いデータレートシステムにおいて、さらなる利点を有するかもしれない。
【００２４】
通信システムは一方の装置から他方の装置に情報を送信するのに使用される。
【００２５】
送信の前に、情報は、通信チャネル上に送信するのにふさわしいフォーマットに符号化される。通信チャネルは、送信機と受信機との間の送信ラインまたは空きスペースであってよい。信号は、チャネルを介して伝播するので、送信された信号は、チャネルの結果によって歪を生じる。更に、信号は、送信の期間拾得された雑音および干渉からの劣化を経験する。帯域制限されたチャネルで一般に遭遇する干渉の一例は符号間干渉（ＩＳＩ）と呼ばれる。ＩＳＩが、チャネルの分散的性質により、送信されたシンボルパルスの拡散の結果生じる。それは隣接したシンボルパルスの重複に帰着する。チャネルの分散的性質はマルチパス伝播の結果である。受信機において、信号は処理され、オリジナルのあらかじめ符号化された形式に変換される。送信機と受信機の両方は、チャネル欠陥および干渉の影響を最小化するように設計されている。
【００２６】
様々な受信機設計は送信器とチャネルによって引き起こされた干渉と雑音を補償するために実施されるかもしれない。一例として、イコライザーは、これらの問題に対処する共通の選択である。イコライザーはトランスバーサルフィルター、すなわち、Ｔ−秒タップ（Ｔはイコライザーフィルターの時間分解能である)を備えた遅延線を用いて実施してもよい。タップの内容は重み付けされ加算されて、送信された信号の推定値を発生する。タップ係数は無線チャネルの変化を補償するために調節される。一般に、適応等化技術が採用され、それによりタップ係数は、連続的かつ自動的に調節される。適応イコライザーは、タップを決定するために最小二乗(ＬＭＳ）またはリカーシブ最小二乗(ＲＬＳ）のような規定されたアルゴリズムを用いてタップ係数を決定する。信号推定は、デスクランブラー／逆拡散器のようなチャネル分離装置に接続され、およびデコーダーまたはシンボルスライサー(symbol slicer)のような意思決定装置に接続される。
【００２７】
雑音がある場合に信号を検出するための受信機の能力は、一般にＳＮＲまたはキャリア対干渉比（Ｃ／Ｉ）として知られている、受信信号電力および雑音電力の比に基づいている。これらの用語または類似した用語の産業上の使用は、しばしば互換性があるが、意味は同じである。従って、ここでのＣ／Ｉに対する任意の参照は、通信システムにおいて様々なポイントで雑音の影響を測定する広い概念を包含することは、当業者によって理解されるだろう。
【００２８】
無線通信システムにおけるイコライザーは、時間変化するチャネル条件に調節するように設計されている。チャネル特性が変化すると、イコライザーは、それに従ってその応答を調節する。そのような変更は、伝播媒体における変化または送信機と受信機の相対運動、ならびに他の条件を含んでいてもよい。上で述べたように、適応フィルタリングアルゴリズムはしばしば、イコライザータップ係数を変更するために使用される。適応アルゴリズムを使用するイコライザーは一般に適応イコライザーと呼ばれる。
【００２９】
「典型的な」という言葉は、ここでは、排他的に「例、インスタンス、または例証としての機能を果たす」ことを意味する。「典型的」としてここに記載される実施形態は、他の実施形態に対して好適であるまたは有利であるとして必ずしも解釈されるべきでない。実施形態の種々の観点は図面の中で示されているが、特に指定しない限りは、図面は、かならずしも縮尺に従って引かれない。
【００３０】
以下の議論は、最初にスペクトル拡散無線通信システムを議論することにより適応イコライザーを備えた通信受信機の実施形態を構築する。次に、基地局と移動局、並びにその間で送信される通信について議論される。加入者装置の一実施形態のコンポーネントが示される。機能ブロック図は、無線信号の送信および受信に関連して示され記述される。受信システム内のイコライザーおよび適応アルゴリズムに関する詳細も述べられる。信号処理に関連する仕様に含まれるのは、実例および数学的な微分である。次に、イコライザーを使用し、イコライザーの内部コンポーネントを適応するためのプロセスが議論される。
【００３１】
もうひとつの実施形態は、この発明の範囲から逸脱することなく、種々の観点を包含してもよい。具体的には、本発明は、データ処理システム、無線通信システム、モバイルＩＰネットワークおよび無線信号を受信し処理することを望む任意の他のシステムに適用可能である。
【００３２】
図示する実施形態は、スペクトル拡散無線通信システムを採用する。無線通信システムは音声、データなどのような様々なタイプの通信を提供するために広く展開される。これらのシステムは、符号分割多元接続（ＣＤＭＡ）、時分割多元接続（ＴＤＭＡ）あるいは他のいくつかの変調技術に基づいていてもよい。ＣＤＭＡシステムは、増加したシステム容量を含む他のタイプのシステムに対するある利点を供給する。
【００３３】
システムは、ここでは、ＩＳ−９５規格と呼ばれる「デュアルモード広域スペクトル拡散セルラーシステムのためのＴＩＡ／ＥＩＡＩＳ−９５−Ｂ移動局−基地局互換規格」、ここでは、３ＧＰＰと呼ばれる「第三世代パートナーシッププロジェクト」という名前のコンソーシアムにより提供され、文献番号３ＧＰＰ  ＴＳ  ２５．２１１、３ＧＰＰ  ＴＳ  ２５．２１２、３ＧＰＰ  ＴＳ  ２５．２１３および３ＧＰＰ  ＴＳ  ２５．２１４、３ＧＰＰ  ＴＳ  ２５．３０２を含む文献のセットに具現化され、ここでは、Ｗ−ＣＤＭＡ規格と呼ばれる規格、ここでは、３ＧＰＰ２と呼ばれる「第三世代パートナーシッププロジェクト２」という名前のコンソーシアムにより提供される規格、および以前にはＩＳ−２０００ＭＣと呼ばれここでは、ｃｄｍａ２０００規格と呼ばれるＴＲ−４５．５のような１つ以上の規格を支援するように設計してもよい。
【００３４】
各規格は、特に基地局から移動局への送信するためのデータの処理を定義し、その逆もまた同様である。以下の説明はプロトコルのｃｄｍａ２０００と一致するスペクトル拡散通信システムを考慮する。もうひとつの実施形態は別の規格を組込んでもよい。
【００３５】
ここに記述されたシステムと方法は、高いデータレート通信システムと共に使用されてもよい。以下の説明の全体にわたって、特定の高いデータレートシステムは明瞭さのために記述される。高いデータレートで情報の送信を供給するもうひとつのシステムを実施してもよい。高データレート（ＨＤＲ）通信システムのようなより高いデータレートで送信するように設計されたＣＤＭＡ通信システムの場合、変数データレート要求スキームを用いて、Ｃ／Ｉがサポートしてもよい最大データレートで通信してもよい。ＨＤＲ通信システムは、典型的に、「第三世代パートナーシッププロジェクト２」により公布された、「ｃｄｍａ２０００高速パケットデータエアーインターフェース仕様」、３ＧＰＰ２  Ｃ．Ｓ００２４、バージョン２、２０００年１０月２７日、のような１つ以上の規格に一致するように設計される。
【００３６】
ＨＤＲ通信システムにおける受信機は、可変レートデータ要求スキームを使用してもよい。受信機は、基地局（下に示される）へのアップリンク上にデータを送信することにより地上にあるデータネットワークと通信する加入者局内において具現化してもよい。基地局はデータを受信し、基地局コントローラー（ＢＳＣ）（図示せず）を通ってデータを地上にあるネットワークに送る。反対に、加入者局への通信はＢＳＣを経由して地上にあるネットワークから基地局に送ってもよいし、ダウンリンク上で基地局から加入者局に送信してもよい。
【００３７】
図１は、多数のユーザーを支援し、少なくともここに議論された実施形態のある観点を実施することができる通信システム１００の一例としての機能を果たす。様々なアルゴリズムおよび方法のうちのどれでもシステム１００における送信をスケジュールするために使用されてもよい。システム１００は多くのセル１０２Ａ−１０２Ｇに通信を供給する。各セルは、それぞれ対応する基地局１０４Ａ−１０４Ｇによりサービスされる。この実施形態において、基地局１０４のうちのいくつかは複数の受信アンテナを持っている。また、他のものは１つの受信アンテナだけを有する。同様に、基地局１０４のうちのいくつかは複数の送信アンテナを持っている。また、他のものは単一の送信アンテナだけを有する。送信アンテナおよび受信アンテナの組合せに関して制限はない。したがって、基地局が複数の送信アンテナと単一の受信アンテナを有すること、または複数の受信アンテナと単一の送信アンテナを持つこと、または両方とも単一または複数の送信および受信アンテナを持つことは可能である。
【００３８】
サービスエリア内の端末１０６は、固定（すなわち静止)であってもよいし移動体であってもよい。図１に示すように、種々の端末１０６がシステム全体にわたって分散している。各端末１０６は、例えばソフトハンドオフが採用されているかどうか、または端末が（同時にまたはシーケンシャルに)複数の基地局からの複数の送信を受信するように設計されているかどうかに応じて、いつなんどきでもダウンリンク及びアップリンク上の少なくとも１つのおよびおそらくは複数の基地局１０４と通信する。ＣＤＭＡ通信システムにおけるソフトハンドオフは、技術的に良く知られており、この発明の譲受人に譲渡される「ＣＤＭＡセルラー電話システムにおけるソフトハンドオフを供給するための方法およびシステム」（Method and System for Providing a Soft Handoff in a CDMA Cellular Telephone System)というタイトルの米国特許第５，１０１，５０１に詳細に記載される。
【００３９】
ダウンリンクは、基地局１０４から端末１０６への送信を指す。また、アップリンクは、端末１０６から基地局１０４への送信を指す。この実施形態において、端末１０６のうちのいくつかは複数の受信アンテナを持っている。また、他のものは１つだけのアンテナを有する。図１において、基地局１０４Ａは、データをダウンリンク上の端末１０６Ａおよび１０６Ｊに送信し、基地局１０４Ｂは、データを、端末１０６Ｂおよび１０６Ｊに送信し、基地局１０４Ｃはデータを端末１０６Ｃに送信する、等々である。
【００４０】
図２は、通信システム１００における基地局２０２および移動局２０４のブロック図である。基地局２０２は、移動局２０４と無線通信している。上で述べたように、基地局２０２は、信号をその信号を受信する移動局２０４に送信する。さらに、移動局２０４は、信号を基地局２０２に送信してもよい。
【００４１】
図３は、ダウンリンク３０２およびアップリンク３０４を図示する基地局２０２と移動局２０４のブロック図である。ダウンリンク３０２は、基地局２０２から移動局２０４への送信を指す。また、アップリンク３０４は、移動局２０４から基地局２０２への送信を指す。
【００４２】
図４は、ダウンリンク３０２の一実施形態におけるチャネルのブロック図である。ダウンリンク３０２はパイロットチャネル４０２、同期チャネル４０４、ページングチャネル４０６およびトラフィックチャネル４０８を含んでいる。図示されたダウンリンク３０２はダウンリンク３０２の単なる１つの可能な実施形態である。また、他のチャネルを加えてもよいし、ダウンリンク３０２から除去してもよいことは理解されるであろう。
【００４３】
通信機械工業会のデュアルモード広域スペクトル拡散セルラーシステムのためのＴＩＡ／ＥＩＡ／ＩＳ−９５−Ａ移動局−基地局互換規格に記載されている１つのＣＤＭＡ規格の下で、各基地局２０２は、パイロットチャネル４０２、同期チャネル４０４、ページングチャネル４０６およびフォワードトラヒックチャネル４０８をそのユーザーに送信する。パイロットチャネル４０２は、各基地局２０２により連続的に送信される、変調されていないダイレクトシーケンススペクトル拡散信号である。パイロットチャネル４０２は、各ユーザーが基地局２０２によって送信されたチャネルのタイミングを得ることを可能にし、干渉性の復調に位相参照を供給する。パイロットチャネル４０２は、基地局２０２間の信号強度比較のための手段を供給し、（いつセル１０２間で移動するかのように)いつハンドオフするかを決定する。
【００４４】
同期チャネル４０４は移動局２０４へタイミングとシステム構成情報を伝える。ページングチャネル４０６はそれらがトラフィックチャネル４０８に割り当てられない場合に、移動局２０４で通信するために使用される。ページングチャネル４０６は移動局２０４へ、ページ、すなわち入電の通知を伝えるために使用される。トラフィックチャネル４０８は利用者データとボイスを送信するために使用される。シグナリングメッセージもトラフィックチャネル４０８上に送られる。
【００４５】
図５は、アップリンク３０４の一実施形態におけるチャネルのブロック図である。アップリンク３０４はパイロットチャネル５０２、アクセスチャンネル５０４およびトラフィックチャネル５０６を含んでいてもよい。図示されたアップリンク３０４はアップリンクの単なる１つの可能な実施形態である。また、他のチャネルが加えてもよいし、アップリンク３０４から除去してもよいことは理解されるであろう。
【００４６】
図５のアップリンク３０４はパイロットチャネル５０２を含む。アップリンク３０４パイロットチャネル５０２が使用される第３世代（３Ｇ）の無線の無線電話通信システムが提案されたことを思い起こされたい。例えば、現在提案されたｃｄｍａ２０００規格では、移動局２０４は、基地局２０２が最初の獲得、時間トラッキング、レーキ受信機コヒーレント基準信号回復および電力測定のために使用するリバースリンクパイロットチャネル（Ｒ−ＰＩＣＨ）を送信する。従って、ここに記載したシステムと方法は、ダウンリンク３０２、およびアップリンク３０４上のパイロット信号に適用可能である。
【００４７】
モバイル２０４が割り当てられたトラフィックチャネル５０６を有さないとき、基地局２０２と通信するために移動局によりアクセスチャネル５０４が使用される。アップリンクトラフィックチャネル５０６はユーザーデータと音声を送信するために使用される。シグナリングメッセージもアップリンクトラフィックチャネル５０６上に送られる。
【００４８】
移動局２０４の一実施形態は、図６の機能ブロック図の中で図示された、加入者装置システム６００において示される。システム６００はプロセッサー６０２を含んでいる。それは、システム６００のオペレーションをコントロールする。プロセッサー６０２は、また中央処理装置（ＣＰＵ）と呼ばれるかもしれない。メモリ６０４、それは読み取り専用メモリ（ＲＯＭ）およびランダムアクセスメモリ（ＲＡＭ)の両方を含んでいるかもしれないは、プロセッサー６０２に命令とデータを提供する。メモリ６０４の一部はさらに不揮発性ＲＡＭ（ＮＶＲＡＭ）を含んでいてもよい。
【００４９】
システム６００、それは携帯電話のような無線通信装置において典型的に具現化される、はさらにセルサイトコントローラーまたは基地局２０２のような、システム６００と遠隔局との間での、オーディオ通信のデータの送信および受信を可能にするために送信機６０８および受信機６１０を含むハウジング６０６を含む。送信機６０８および受信機６１０はトランシーバー６１２に結合してもよい。アンテナ６１４はハウジング６０６に取り付けられ、電気的にトランシーバー６１２に接続される。追加のアンテナ（示されない）も使用されてもよい。送信器６０８、受信機６１０およびアンテナ６１４の動作は、技術的によく知られており、ここでは、記載する必要が無い。
【００５０】
システム６００は、さらにトランシーバー６１２によって受信された信号のレベルを検知し量を計るために使用される信号検出器６１６を含んでいる。技術的によく知られているように、信号検出器６１６は、合計エネルギー、擬似雑音(ＰＮ）チップあたりのパイロットエネルギー、電力スペクトル密度、および他の信号のような信号を検出する。
【００５１】
システム６００の状態変更器６２６は、トランシーバー６１２によって受信され、信号検出器６１６によって検知された現在状況と付加信号に基づいた無線通信装置の状態を制御する。無線通信装置は多くの状態のうちの任意の１つで作動することができる。
【００５２】
システム６００は、さらにシステム決定器が現在のサービスプロバイダーシステムが不適当であると決定すると、無線通信装置を制御し、どのサービスプロバイダーシステムに無線通信装置が転送しなければならないかを決定するために使用されるシステム決定器６２８を含む。
【００５３】
システム６００の様々なコンポーネントは、データバスに加えて電力バス、制御信号バスおよびステータス信号バスを含んでいてもよいバスシステム６３０によってともに接続される。しかしながら、明瞭さのために、様々なバスはバスシステム６３０として図６の中で図示される。システム６００は、さらに信号の処理で使用されるデジタルシグナルプロセッサー（ＤＳＰ）６０７を含んでいてもよい。当業者は、図６に示されるシステムは、特定のコンポーネントのリストよりむしろ機能ブロック図であることを理解するであろう。
【００５４】
通信受信機内の適応イコライザーを使用するためにここに開示される方法は、加入者装置６００の一実施形態において、実施してもよい。開示されたシステムおよび方法も、基地局２０２のような受信機を有した他の通信システムにおいて実施してもよい。基地局２０２が開示されたシステムおよび方法を実施するために使用されているなら、図６の機能ブロック図も、基地局２０２の機能ブロック図にコンポーネントを記載するために使用してもよい。
【００５５】
図７は、無線信号の送信を図示する機能ブロック図である。
【００５６】
図示するように、無線信号は、パイロットチャネルおよび他の直交チャネル７０４を含む。追加の非直交チャネル７０６も無線信号に含まれていてもよい。非直交チャネル７０６はＣＤＭＡ２０００の中で使用されない。非直交チャネルの一例は、ＷＣＤＭＡにおける同期チャネル(ＳＣＨ）である。
【００５７】
直交チャネルは、直交拡散コンポーネント７０８に供給される。次に、直交チャネルおよび非直交チャネルは、チャネルに対して利得を加えるチャネル利得コンポーネント７１０に供給される。加算器７１２によって示されるように、チャネル利得コンポーネント７１０からの出力はともに合計される。図７に示されるように、非直交チャネルは時分割多重（ＴＤＭ）７１１であってもよい。他の実施形態では、直交チャネルの１つ以上は時分割多重であってもよい。
【００５８】
非直交チャネル７０６は、直交拡散コンポーネントを有さないが、直接チャネル利得コンポーネント７１０に供給される。チャネル利得７１０の出力は加算器７１２で合計される。
【００５９】
合計された信号は、ＰＮスクランブルコンポーネント７１４に供給される。ベースバンドフィルター７１６はＰＮのスクランブルコンポーネント７１４から出力をとり、フィルターされた出力を送信機７１８に供給する。送信器７１８はアンテナ７２０を含む。次に、無線信号は無線チャネル７２２に入る。
【００６０】
無線信号の送信を図示する図７の機能ブロック図は、様々なコンポーネントにおいて実施してもよい。例えば、基地局２０２は、図７に示されるブロック図の１つの形式を具現化する。さらに、移動局２０４は、さらに送信ブロック図の形式を実施する。
【００６１】
図８は、無線信号８０１の受信を示す機能ブロック図である。受信機８０２はアンテナ８０４の使用を通じて無線信号８０１を受信する。受信される信号は、送信されたパイロットチャネルの歪んだバージョンを含む。受信される信号は、送信器内のベースバンドフィルターのインパルス応答に整合する整合フィルター８０６に供給される。整合フィルター８０６の出力８０８はイコライザー８１０に供給される。整合フィルター８０６からの信号出力８０８は、依然として送信された出力８０８に、すべての異なるチャネルを含む。
【００６２】
イコライザー８１０は歪みのために修正し、送信された信号の推定値を発生する。
【００６３】
イコライザー８１０はさらに時間変化するチャネル条件を取り扱う。イコライザー８１０は、多数のイコライザータップ８１１の使用を介して実施されるフィルターを含む。そのタップは等間隔であってもよいし、非等間隔であってもよい。
【００６４】
イコライザー出力８１２は、ＰＮデスクランブルコンポーネントおよび逆拡散コンポーネント８１６に供給される。パイロットチャネル７０２および他のチャネル７０４も逆拡散コンポーネント８１６から出力されることは当業者により理解されるであろう。逆拡散コンポーネント８１６はパイロットチャネル７０２および他のチャネルを抽出し、パイロットチャネルおよび他のチャネルのための個別の推定値を提供する。次に、様々なチャネルはデコードコンポーネント８２０によってデコードされる。
【００６５】
適応アルゴリズムコンポーネント８２２はイコライザー８１０を適応させる。推定されたパイロット８２４は、逆拡散コンポーネント８１６によって適応アルゴリズムコンポーネント８２２に供給される。適応アルゴリズムコンポーネント８２２は、送信されたパイロットチャネルの演繹的な知識を持っている。無線通信システムにおいて、パイロットチャネル上の演繹的な既知シンボルのシーケンスを送信することは一般的である。適応アルゴリズムコンポーネント８２２への推定されたパイロット８２４入力は、符号分割多重（ＣＤＭ）化されたパイロットであってもよい。受信機８０２がトラフィックチャネル（トラフィック中の）を含んでいる無線信号を受信している間、適応アルゴリズム８２２はタップ８１１を更新する。したがって、現在使用中の他のシステムでは、適応イコライザーはトラフィックの前に適合するが、ここに開示されたシステムと方法はトラフィック中に練習し適合する。
【００６６】
追加のアルゴリズムパラメーター８２３は適応アルゴリズムコンポーネント８２２に供給されてもよい。既知の基準信号は、適応アルゴリズムコンポーネント８２２に供給されるアルゴリズムパラメーター８２３の一部であってもよい。適応ステップサイズもアルゴリズムパラメーター８２３の一部として含まれていてもよい。使用されている特定アルゴリズムによって、当業者によって理解されるように、アルゴリズムパラメーター８２３は変わるだろう。
【００６７】
さらに下に議論されるように、適応アルゴリズムコンポーネント８２２は、送信された信号の推定値を供給し、かつイコライザーを必要に応じて変更可能にするためにイコライザー８１０を適応させ続ける。適応アルゴリズムコンポーネント８２２は、イコライザー８１０によって使用されるイコライザーフィルター重み８２６を更新する。重み８２６はイコライザータップ８１１に相当する。
【００６８】
図７および８を参照して、下記は、使用してもよい様々な信号、式およびアルゴリズムの数学的な記載およびバックグラウンドを提供する。
【００６９】
図７のベースバンドフィルター７１６から送信される複雑なベースバンドアナログ信号７２３は、式１に示すように書いてもよい。式１で示される式は、雑音成分を含んでいない。式１の変数およびパラメーターは表１で与えられる。表１に関して、ＯＶＳＦは直交変数拡散因子を表わす。ＯＶＳＦコードは、またウォルシュコードと呼ばれる。
【数１】
2010183618.tif 000003
【表１】
2010183618.tif 000004
【００７０】
パスｉの実際の減衰のための関数は式２で示される。パスｉの伝播遅延は式３で示される。パスｉの複雑な減衰は式４で示される。式４では、項ｆcはキャリア周波数である。
【００７１】
パラメーターｄ0は公称距離である。項Ｃは光速である。
【数２】
2010183618.tif 000005
【数３】
2010183618.tif 000006
【数４】
2010183618.tif 000007
【００７２】
必要な計算を単純化しかつ／または遂行するために仮定をしてもよい。疑似静止のフェージングはイコライザー適合期間の間仮定される。Ωのオーバーサンプリング（over-sampling)因子も仮定される。パスｉの伝播遅延は、式５に示すように表してもよい。天井関数は、式６に示すようにλiに対して使用してもよい。式６の項Ｔcはチップ期間である。式６のλiのために使用される天井関数は、一般法則の任意の損失無く、容易に床関数に置き換えてもよい。
【００７３】
図８の整合フィルター８０６を参照すると、典型的に整合フィルタリングは、Ｃ×４受信機バッファーを用いてチップ×８（「Ｃ×８」)で行われる。時間通りのサンプルが周波数追跡に使用されている一方、Ｃｘ４サンプルは、時間トラッキング（早い遅い遅延ロックループを使用して）用のＣｘ８に改ざんされる。式７で見つかった式については、整合フィルタリングは、Ｃ×Ωで行われると仮定される。整合フィルター８０６の出力８０８は、式７に示すように表してもよい。式７におけるｘl［ｍ］の表現は、整合フィルタリングの後のＣ×Ωにおけるデジタルサンプルを表すと共に、イコライザー８１０への入力サンプルを表す。式７中の変数およびパラメーターは表２で与えられる。式７および表２に関して、パス遅延によって信号タイミングを相殺する必要がある。これはイコライザー時間オフセットとして名付けられる。表２の中で示されたパルス形成フィルターは、時々ベースバンド送信フィルターと呼ばれる。
【数５】
2010183618.tif 000008
【数６】
2010183618.tif 000009
【数７】
2010183618.tif 000010
【表２】
2010183618.tif 000011
【００７４】
ＩＳ−９５およびＷＣＤＭＡベースバンド送信フィルターの両方は超過帯域幅を持っている。エイリアシングを回避するために、イコライザー入力はＣ×Ωにおいてであり、一方イコライザータップ８１１は、チップ期間（ＦＳＥ）に関連して断片的に離間している。イコライザー出力はＣｘｌにある。説明のために、イコライザータップ８１１の数はＣ×Ωにおいて、２Ｆ＋1であるように仮定される。但し、Ｆは任意の非負数の整数である。
【００７５】
ＦＳＥへの入力は以下のように定義される。項λ＊は、（レーキ受信機のフィンガーフロントエンドを使用して）タイミングオフセットとして定義される。ＦＳＥへの追加入力は式８および９において、定義される。再び図８を参照すると、ＦＳＥへの入力がこのように定義され、Ｃ×１におけるイコライズされた信号は、式１０により示される。Ｘのためのマトリックス表示は式１１に示される。式８−９における変数およびパラメーターのための定義は表３で与えられる。
【数８】
2010183618.tif 000012
【数９】
2010183618.tif 000013
【数１０】
2010183618.tif 000014
【数１１】
2010183618.tif 000015
【表３】
2010183618.tif 000016
【００７６】
直交逆拡散コンポーネント８１６により出力されている所望の信号８２４はｒ［０；ｎ]であり、これは共通パイロットに相当する。直交逆拡散コンポーネント８１６からのこの出力８２４はイコライザー８１０を適合する適応アルゴリズムコンポーネント８２２に入力される。上に言及されるように、適応アルゴリズム８２２への入力８２４はＣＤＭパイロットである。
【００７７】
様々な適応アルゴリズムはイコライザー８１０タップ８１１を適応させるために使用されてもよい。反復的アルゴリズムはイコライザーを適応させるために使用されてもよい。
【００７８】
様々な異なる反復的アルゴリズムが使用されてもよい。使用されるかもしれない可能な１つのアルゴリズムは最小二乗（ＬＭＳ）アルゴリズムである。使用されるかもしれない別の可能なアルゴリズムはリカーシブ最小二乗（ＲＬＳ）アルゴリズムである。カルマンフィルターも使用されてもよい。非反復的アルゴリズムも使用されてもよい。当業者は、イコライザー８１０  タップ８１１を適応させるために他の適応アルゴリズムも使用されてもよいことを理解するだろう。
【００７９】
一実施形態において、イコライザー８１０は有限インパルス応答（ＦＩＲ）フィルターによって実施してもよい。図９は、ＦＩＲフィルター９００の実施を示すブロック図である。図示されるようにフィルターへの入力はｘlであり、出力ｘeである。入力ｘlは、遅延ブロック９０２により示すように、現在の入力サンプル並びに過去のサンプルを含む。その出力は、式１０に示される式に従って計算してもよい。式１０の式は、式１１に示すようにマトリクスフォームで書いてもよい。
【００８０】
他のコンポーネントは、ＦＩＲフィルターに加えてイコライザー８１０内で使用してもよい。例えば、有限インパルス応答（ＩＩＲ）を使用してもよい。さらに、フィルタリングは周波数領域で行なってもよい。
【００８１】
図１０は、移動局２０４によって無線信号を受け取る場合に適応イコライザー８１０を使用するための方法１０００のフロー図である。図１０の方法は、また、無線通信システム１０内の基地局２０２および他のタイプの受信機により使用してもよい。パイロット４０２および他のチャネルを含んでいる無線信号が受信される１００２。他のチャネルは、これらに制限されないが、トラヒックチャネル４０８、同期チャネル４０４およびページングチャネル４０６を含む、様々なチャネルを含んでいてもよい。他のチャネルも受信される無線信号に含まれていてもよい。パイロットおよび他のチャネルは連続的に送信してもよい。さらに、パイロットおよび他のチャネルは連続的に送信されないかもしれない。さらに、もし方法１０００が基地局２０２によって実施されていれば、より少数のチャネルが含まれるだろう。例えば、無線信号が基地局２０２によって受信されていた場合、無線信号はパイロット、トラフィックおよびアクセスチャンネルを含んでいてもよい。図示されるように、方法１０００は、無線通信システム１００中の様々な受信機での使用に容易に適応されるかもしれない。
【００８２】
受信される信号は整合フィルター８０６を使用して、フィルターされる１００４。
【００８３】
整合フィルター８０６の出力８０８は等化１００６のためのイコライザー８１０に供給される。上で述べたように、イコライザー８１０は、歪みを修正し、送信された信号の推定値を発生し、さらに時間変化するチャネル条件を取り扱う。
【００８４】
イコライザー８１０は、ここでは、ｅにより表される多数のタップ８１１の使用を通して実施されるフィルターを含む。イコライザー８１０は、フィルターを実施するためにタップ８１１の現在値をロードする。イコライザータップ８１１が更新される場合、イコライザー８１０はタップ８１１の最新の値を使用するかもしれない。当業者は、イコライザー８１０が利用可能なタップ８１１の新しい値を知るかもしれない様々な方法を理解するだろう。
【００８５】
イコライザー出力８１２は、ＰＮ逆拡散コンポーネント８１４に供給され、そこで、ＰＮ逆拡散が実行される１００８。逆拡散が実行され１０１０、パイロットおよび他のチャネルのたえの推定値を得る。
【００８６】
方法１０００が動作中である間、図１０のステップは連続的に実行してもよい。したがって、方法１０００は無線信号を受信し続けてもよいし１００２、整合フィルター８０６を用いてフィルターし続けてもよいし、およびメイン処理ループ内の１００６、１００８、１０１０および１０１２に示される残りのステップを並列に実行してもよい。
【００８７】
図８に示すように、適応アルゴリズム８２２は、逆拡散コンポーネント８１６から推定されたパイロットを取り、それを適応プロセス内で使用する。イコライザー８１０が更新される／適合されるべきかどうかの決定がなされる。異なる設定を、イコライザー８１０を適応させるために行ってもよい。例えば、方法はパイロットシンボル間隔ごとにイコライザータップ８１１を適応するように構成してもよい。あるいは、方法は、Ｎ番目のパイロットシンボル間隔に１回イコライザータップ８１１を適応するように構成してもよい。但しＮは正の整数である。Ｎの値は静的でもよいし、または動的でもよい。方法はパイロットシンボル間隔ごとに複数回イコライザータップ８１１を適合するように構成してもよい。環境に応じて、イコライザータップ８１１をより多い頻度でまたはより少ない頻度で適応する必要があるかもしれない。例えば、低速状況において、タップ８１１はシステムが高速状況の中で使用されている場合と同じくらいしばしば適応され、更新される必要がないかもしれない。
【００８８】
イコライザータップ８１１が適応／更新されるべきであると決定されると、パイロットシンボルは、適応アルゴリズム８２２が完了するまで、適応アルゴリズム８２２に入力される１０１６。様々な方法を用いて、適応アルゴリズム８２２がいつ作動を中止するかを決定してもよい。例えば、タップ８１１が収束するまで、適応アルゴリズム８２２は動作してもよい。あるいは、適応アルゴリズム８２２はある期間動作してもよい。更に、チャネル条件が変わる場合、適応アルゴリズム８２２は適応を開始してもよい。当業者は、適応アルゴリズム８２２がいつ動作を中止するかを決めるために、他の方法が使用されてもよいことを認識するだろう。一旦適応アルゴリズム８２２が終われば、タップ値８１１は更新される１０１８。次に、他のチャネル（複数の場合もある）は回復されるかデコードされる１０１２。
【００８９】
パイロットチャネル７０２がアップリンク３０４上に送信されたなら、図示したコンポーネントは、パイロットチャネルを推定するために基地局２０２において使用してもよい。ここにおける発明の原理はさまざまなコンポーネントとともに使用され、パイロットが移動局２０４、基地局２０２、または無線通信システム１００内の他の任意のコンポーネントにより受信されようとそうでなかろうと、パイロットを推定してもよい。したがって、移動局２０４の実施形態はシステムと方法のこの実施形態である。しかし、システムと方法が様々な他のコンテキストの中で使用されてもよいことが理解される。
【００９０】
当業者は、情報及び信号が多岐に渡る様々な異なる技術及び技法のいずれかを使用して表現されてよいことを理解するだろう。例えば、前記説明を通して参照されてよいデータ、命令、コマンド、情報、信号、ビット、記号及びチップは、電圧、電流、電磁波、磁場または磁性粒子、光学場または光学粒子、またはその任意の組み合わせによって表現されてよい。
【００９１】
当業者は、さらに、ここに開示されている実施形態に関連して説明された多様な例示的な論理ブロック、モジュール、回路及びアルゴリズムステップが、電子ハードウェア、コンピュータソフトウェア、または両方の組み合わせとして実現されてよいことを理解するだろう。ハードウェアとソフトウェアのこの互換性を明確に説明するために、多様な例示的な構成要素、ブロック、モジュール、回路及びステップが、一般的にそれらの機能という点で前述されている。このような機能性がハードウェアとして実現されるのか、あるいはソフトウェアとして実現されるのかは、特定の用途及び全体的なシステムに課される設計制約に依存する。当業者は、それぞれの特定の用途のために変化する方法で説明された機能性を実現してよいが、このような実現の決定は、本発明の範囲からの逸脱を引き起こすと解釈されるべきではない。
【００９２】
ここに開示されている実施形態に関連して説明された多様な例示的な論理ブロック、モジュール及び回路は、汎用プロセッサー、デジタル信号プロセッサー（ＤＳＰ）、特定用途向け集積回路（ＡＳＩＣ）、フィールドプログラマブルゲートアレイ（ＦＰＧＡ）、または他のプログラマブルロジックデバイス、離散ゲートまたはトランジスタ論理、離散ハードウェア構成要素、あるいはここに説明される機能を実行するように設計されたその任意の組み合わせをもって実現または実行されてよい。汎用プロセッサーは、マイクロプロセッサーであってよいが、代替策ではプロセッサーは、任意の従来のプロセッサー、コントローラー、マイクロコントローラーまたは状態機械であってよい。プロセッサーは、例えばＤＳＰとマイクロプロセッサーの組み合わせ、複数のマイクロプロセッサー、ＤＳＰコアと連動する１台または複数台のマイクロプロセッサー、あるいは任意の他のこのような構成など計算装置の組み合わせとして実現されてもよい。
【００９３】
ここに開示された実施形態に関連して説明された方法またはアルゴリズムのステップは、ハードウェア内、プロセッサーによって実行されるソフトウェアモジュール内、あるいは２つの組み合わせの中で直接的に具体化されてよい。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または技術的に既知である任意の他の形式の記憶媒体に常駐してよい。記憶媒体は、プロセッサーが記憶媒体から情報を読み取り、記憶媒体に情報を書き込むことができるようにプロセッサーに結合される。代替策では、記憶媒体はプロセッサーに一体化してよい。プロセッサー及び記憶媒体はＡＳＩＣに常駐してよい。ＡＳＩＣはユーザー端末に常駐してよい。代替策では、プロセッサー及び記憶媒体はユーザー端末内に別々の構成要素として常駐してよい。
【００９４】
ここに開示された方法は、記載した方法を達成するための１つ以上のステップまたは行為を含む。方法ステップおよび／または行為は本発明の範囲を逸脱せずに互いに交換してもよい。言いかえれば、ステップまたは行為の特定の順序が実施形態の適切な動作に必要でない限り、特定のステップおよび／または行為の順序および／または使用は本発明の範囲を逸脱せずに変更してもよい。
【００９５】
開示された実施形態の過去の説明は、当業者が本発明を製造するまたは使用することができるようにするために提供される。これらの実施形態に対する多様な修正は、当業者に容易に明らかになり、ここに定義される一般的な原則は、本発明の精神または範囲から逸脱することなく他の実施形態に適用されてよい。したがって、本発明はここに示されている実施形態に制限されるのではなく、ここに説明される原則及び新規な特徴と一致する最も幅広い範囲を与えられるべきである。
【図１】
2010183618.tif 000017
【図２】
2010183618.tif 000018
【図３】
2010183618.tif 000019
【図４】
2010183618.tif 000020
【図５】
2010183618.tif 000021
【図６】
2010183618.tif 000022
【図７】
2010183618.tif 000023
【図８】
2010183618.tif 000024
【図９】
2010183618.tif 000025
【図１０】
2010183618.tif 000026
【手続補正書】
【提出日】平成22年4月13日(2010.4.13)
【手続補正１】
【補正対象書類名】特許請求の範囲
【補正対象項目名】全文
【補正方法】変更
【補正の内容】
【特許請求の範囲】
【請求項１】
下記を具備する、無線通信システムにおいて、送信された信号を推定する方法：
パイロットチャネルおよび少なくとも１つの他のチャネルを含む無線信号を受信する、ここにおいて、前記パイロットチャネルは、前記少なくとも１つの他のチャネルで送信される；
イコライザーおよび前記受信した無線信号を用いて送信された信号を推定する；
前記推定されたパイロットを抽出する；
前記推定されたパイロットを前記適応アルゴリズムに供給する；
前記イコライザーは、前記受信された無線信号から推定された推定パイロットを使用する適応アルゴリズムの使用を介して適応される複数のタップを有したフィルターを含み、前記複数のタップは、チャネル条件に依存してほぼ頻繁に適応される。
【請求項２】
前記適応アルゴリズムは反復アルゴリズムである、請求項１に記載の方法。
【請求項３】
前記パイロットチャネルは、符号分割多重である、請求項１に記載の方法。
【請求項４】
前記無線信号はさらに直交チャネルおよび非直交チャネルを具備する、請求項３に記載の方法。
【請求項５】
前記方法は移動局により実施される、請求項３に記載の方法。
【請求項６】
前記方法は基地局で実施される、請求項３に記載の方法。
【請求項７】
前記イコライザーは、有限インパルス応答(ＦＩＲ）フィルターを具備する、請求項１に記載の方法。
【請求項８】
前記イコライザーは無限インパルス応答(ＩＩＲ）フィルターを具備する、請求項１に記載の方法。
【請求項９】
前記フィルタリングは、周波数領域で実行される、請求項１に記載の方法。
【請求項１０】
前記適応アルゴリズムは、パイロットシンボル間隔ごとに１回使用され、前記タップを更新する、請求項１に記載の方法。
【請求項１１】
前記適応アルゴリズムは、パイロットシンボル間隔ごとにＮ回使用され、前記タップを更新する、ただしＮは任意の正の整数である、請求項１に記載の方法。
【請求項１２】
前記適応アルゴリズムは、Ｎ番目のパイロットシンボル間隔ごとに１回使用され、前記タップを更新する、ただしＮは１より大きい任意の正の整数である、請求項１に記載の方法。
【請求項１３】
前記適応アルゴリズムは、新しいタップ値が収束するまで新しいタップ値に適応し続ける、請求項１に記載の方法。
【請求項１４】
前記適応アルゴリズムは、ある期間、新しいタップ値に適応し続ける、請求項１に記載の方法。
【請求項１５】
前記適応アルゴリズムは、前記イコライザーが現在のチャネル条件に一致しないようにチャネル条件が変更したとき、適応を実行する、請求項１に記載の方法。
【請求項１６】
前記受信すること、前記推定すること、および前記供給することは、並列に実行される、請求項１に記載の方法。
【請求項１７】
前記タップは等間隔である、請求項１に記載の方法。
【請求項１８】
前記タップは非等間隔である、請求項１に記載の方法。
【請求項１９】
前記パイロットチャネルは、連続的に送信される、請求項１に記載の方法。
【請求項２０】
前記パイロットチャネルは連続的に送信されない、請求項１に記載の方法。
【請求項２１】
前記少なくとも１つの他のチャネルは、連続的に送信される、請求項１に記載の方法。
【請求項２２】
前記少なくとも１つの他のチャネルは、連続的に送信されない、請求項１に記載の方法。
【請求項２３】
前記少なくとも１つの他のチャネルは、トラヒックチャネルを具備する、請求項１に記載の方法。
【請求項２４】
前記複数のタップは高速度状態においてより頻繁に適応される、請求項１の方法。
【請求項２５】
前記複数のタップは低速度状態において低い頻度で適応される、請求項１の方法。
【請求項２６】
下記を具備する、移動局が送信された信号を推定する無線通信システムに使用する移動局：
パイロットチャネルおよび少なくとも１つの他のチャネルを具備する無線信号を受信するための少なくとも１つのアンテナ、ここにおいて、前記パイロットチャネルは、前記少なくとも１つの他のチャネルで送信される；
少なくとも１つのアンテナと電子通信する受信機；
前記送信された信号を推定するイコライザー；
前記推定されたパイロットを抽出し、前記抽出したパイロットを前記適応アルゴリズムに供給するコンポーネント；
前記イコライザーは、前記受信した無線信号から推定される推定パイロットを使用する適応アルゴリズムの使用を介して適応される複数のタップを有したフィルターを含み、前記複数のタップは、チャネル条件に依存してほぼ頻繁に適応される。
【請求項２７】
前記適応アルゴリズムは、反復アルゴリズムである、請求項２６に記載の移動局。
【請求項２８】
前記イコライザーは、ＦＩＲフィルターを具備する、請求項２６に記載の移動局。
【請求項２９】
前記イコライザーはＩＩＲフィルターを具備する、請求項２６に記載の移動局。
【請求項３０】
フィルタリングは、周波数領域で行われる、請求項２６に記載の移動局。
【請求項３１】
前記適応アルゴリズムは、パイロットシンボル間隔ごとに１回前記タップを更新する、請求項２６に記載の移動局。
【請求項３２】
前記適応アルゴリズムは、パイロットシンボル間隔ごとにＮ回前記タップを更新する、但しＮは、任意の正の整数である、請求項２６に記載の移動局。
【請求項３３】
前記適応アルゴリズムは、Ｎ番目のパイロットシンボル間隔ごとに１回前記タップを更新する、ただしＮは１より大きい任意の正の整数である、請求項２６に記載の移動局。
【請求項３４】
前記適応アルゴリズムは、新しいタップ値が収束するまで新しいタップ値に適応し続ける、請求項２６に記載の移動局。
【請求項３５】
前記パイロットチャネルは符号分割多重されている、請求項２６に記載の移動局。
【請求項３６】
前記複数のタップは高速度状態においてより頻繁に適応される、請求項２６の方法。
【請求項３７】
前記複数のタップは低速度状態において低い頻度で適応される、請求項２６の方法。
【請求項３８】
下記を具備する、装置が送信された信号を推定する無線通信システムに使用する装置：
パイロットチャネルおよび少なくとも１つの他のチャネルを具備する無線信号を受信する少なくとも１つのアンテナ、ここにおいて、前記パイロットチャネルは、前記少なくとも１つの他のチャネルで送信される；
前記少なくとも１つのアンテナと電子通信する受信機；
前記送信された信号を推定するイコライザー；
前記推定されたパイロットを抽出し、前記推定されたパイロットを前記適応アルゴリズムに供給するコンポーネント；
前記イコライザーは、前記受信した無線信号から推定される推定パイロットを使用する適応アルゴリズムの使用を介して適応される複数のタップを有したフィルターを含み、前記複数のタップはチャネル条件に依存してほぼ頻繁に適応される。
【請求項３９】
前記適応アルゴリズムは、反復アルゴリズムである、請求項３８に記載の装置。
【請求項４０】
前記イコライザーは、ＦＩＲフィルターを具備する、請求項３８に記載の装置。
【請求項４１】
前記イコライザーはＩＩＲフィルターを具備する、請求項３８に記載の装置。
【請求項４２】
フィルタリングは、周波数領域で行われる、請求項３８に記載の装置。
【請求項４３】
前記適応アルゴリズムは、パイロットシンボル間隔ごとに１回前記タップを更新する、請求項３８に記載の装置。
【請求項４４】
前記適応アルゴリズムは、パイロットシンボル間隔ごとにＮ回前記タップを更新する、但しＮは、任意の正の整数である、請求項３８に記載の装置。
【請求項４５】
前記適応アルゴリズムは、Ｎ番目のパイロットシンボル間隔ごとに１回前記タップを更新する、ただしＮは１より大きい任意の正の整数である、請求項３８に記載の装置。
【請求項４６】
前記適応アルゴリズムは、新しいタップ値が収束するまで新しいタップ値に適応し続ける、請求項３８に記載の装置。
【請求項４７】
前記パイロットチャネルは符号分割多重される、請求項３８に記載の装置。
【請求項４８】
前記装置は移動局において具現化される、請求項３８に記載の装置。
【請求項４９】
前記装置は基地局において具現化される、請求項３８に記載の装置。
【請求項５０】
前記複数のタップは高速度状態においてより頻繁に適応される、請求項３８の方法。
【請求項５１】
前記複数のタップは低速度状態において低い頻度で適応される、請求項３８の方法。
【請求項５２】
下記を具備する、移動局が送信された信号を推定する無線通信システムに使用する移動局：
パイロットチャネルおよび少なくとも１つの他のチャネルを含む第１の無線信号を受信する手段、ここにおいて、前記パイロットチャネルは、前記少なくとも１つの他のチャネルで送信される；
前記送信された信号を推定する手段；
前記推定されたパイロットを抽出し、前記推定されたパイロットを前記適応手段に供給する手段；
前記推定手段は、前記受信した無線信号から推定された推定パイロットを使用する適応するための手段の使用を介して適応された複数のタップを含み、前記複数のタップはチャネル条件に依存してほぼ頻繁に適応される。
【請求項５３】
前記複数のタップは高速度状態においてより頻繁に適応される、請求項５２の方法。
【請求項５４】
前記複数のタップは低速度状態において低い頻度で適応される、請求項５２の方法。
【手続補正２】
【補正対象書類名】明細書
【補正対象項目名】００９５
【補正方法】変更
【補正の内容】
【００９５】
開示された実施形態の過去の説明は、当業者が本発明を製造するまたは使用することができるようにするために提供される。これらの実施形態に対する多様な修正は、当業者に容易に明らかになり、ここに定義される一般的な原則は、本発明の精神または範囲から逸脱することなく他の実施形態に適用されてよい。したがって、本発明はここに示されている実施形態に制限されるのではなく、ここに説明される原則及び新規な特徴と一致する最も幅広い範囲を与えられるべきである。  
以下に、本願出願の当初の特許請求の範囲に記載された発明を付記する。
[1]下記を具備する、無線通信システムにおいて、送信された信号を推定する方法：
パイロットチャネルおよび少なくとも１つの他のチャネルを含む無線信号を受信する；
イコライザーおよび前記受信した無線信号を用いて送信された信号を推定する、前記イコライザーは、前記受信された無線信号から推定された推定パイロットを使用する適応アルゴリズムの使用を介して適応される複数のタップを有したフィルターを含み、前記パイロットチャネルは、前記少なくとも１つの他のチャネルで送信される；
前記推定されたパイロットを抽出する；および
前記推定されたパイロットを前記適応アルゴリズムに供給する。
[2]前記適応アルゴリズムは反復アルゴリズムである、上記[1]に記載の方法。
[3]前記パイロットチャネルは、符号分割多重である、上記[1]に記載の方法。
[4]前記無線信号はさらに直交チャネルおよび非直交チャネルを具備する、上記[3]に記載の方法。
[5]前記方法は移動局により実施される、上記[3]に記載の方法。
[6]前記方法は基地局で実施される、上記[3]に記載の方法。
[7]前記イコライザーは、有限インパルス応答(ＦＩＲ）フィルターを具備する、上記[1]に記載の方法。
[8]前記イコライザーは無限インパルス応答(ＩＩＲ）フィルターを具備する、上記[1]に記載の方法。
[9]前記フィルタリングは、周波数領域で実行される、上記[1]に記載の方法。
[10]前記適応アルゴリズムは、パイロットシンボル間隔ごとに１回使用され、前記タップを更新する、上記[1]に記載の方法。
[11]前記適応アルゴリズムは、パイロットシンボル間隔ごとにＮ回使用され、前記タップを更新する、ただしＮは任意の正の整数である、上記[1]に記載の方法。
[12]前記適応アルゴリズムは、Ｎ番目のパイロットシンボル間隔ごとに１回使用され、前記タップを更新する、ただしＮは１より大きい任意の正の整数であり、上記[1]に記載の方法。
[13]前記適応アルゴリズムは、新しいタップ値が収束するまで新しいタップ値に適応し続ける、上記[1]に記載の方法。
[14]前記適応アルゴリズムは、ある期間、新しいタップ値に適応し続ける、上記[1]に記載の方法。
[15]前記適応アルゴリズムは、前記イコライザーが現在のチャネル条件に一致しないようにチャネル条件が変更したとき、適応を実行する、上記[1]に記載の方法。
[16]前記行為は、並列に実行される、上記[1]に記載の方法。
[17]前記タップは等間隔である、上記[1]に記載の方法。
[18]前記タップは非等間隔である、上記[1]に記載の方法。
[19]前記パイロットチャネルは、連続的に送信される、上記[1]に記載の方法。
[20]前記パイロットチャネルは連続的に送信されない、上記[1]に記載の方法。
[21]前記少なくとも１つの他のチャネルは、連続的に送信される、上記[1]に記載の方法。
[22]前記少なくとも１つの他のチャネルは、連続的に送信されない、上記[1]に記載の方法。
[23]前記少なくとも１つの他のチャネルは、トラヒックチャネルを具備する、上記[1]に記載の方法。
[24]下記を具備する、移動局が送信された信号を推定する無線通信システムに使用する移動局：
パイロットチャネルおよび少なくとも１つの他のチャネルを具備する無線信号を受信するための少なくとも１つのアンテナ；
少なくとも１つのアンテナと電子通信する受信機；
前記送信された信号を推定するイコライザー、前記イコライザーは、前記受信した無線信号から推定される推定パイロットを使用する適応アルゴリズムの使用を介して適応される複数のタップを有したフィルターを含み、前記パイロットチャネルは、前記少なくとも１つの他のチャネルで送信される；および
前記推定されたパイロットを抽出し、前記抽出したパイロットを前記適応アルゴリズムに供給するコンポーネント。
[25]前記適応アルゴリズムは、反復アルゴリズムである、上記[24]に記載の移動局。
[26]前記イコライザーは、ＦＩＲフィルターを具備する、上記[24]に記載の移動局。
[27]前記イコライザーはＩＩＲフィルターを具備する、上記[24]に記載の移動局。
[28]フィルタリングは、周波数領域で行われる、上記[24]に記載の移動局。
[29]前記適応アルゴリズムは、パイロットシンボル間隔ごとに１回前記タップを更新する、上記[24]に記載の移動局。
[30]前記適応アルゴリズムは、パイロットシンボル間隔ごとにＮ回前記タップを更新する、但しＮは、任意の正の整数である、上記[24]に記載の移動局。
[31]前記適応アルゴリズムは、Ｎ番目のパイロットシンボル間隔ごとに１回前記タップを更新する、ただしＮは１より大きい任意の正の整数である、上記[24]に記載の移動局。
[32]前記適応アルゴリズムは、新しいタップ値が収束するまで新しいタップ値に適応し続ける、上記[24]に記載の移動局。
[33]前記パイロットチャネルは符号分割多重されている、上記[24]に記載の移動局。
[34]下記を具備する、装置が送信された信号を推定する無線通信システムに使用する装置：
パイロットチャネルおよび少なくとも１つの他のチャネルを具備する無線信号を受信する少なくとも１つのアンテナ；
前記少なくとも１つのアンテナと電子通信する受信機；
前記送信された信号を推定するイコライザー、前記イコライザーは、前記受信した無線信号から推定される推定パイロットを使用する適応アルゴリズムの使用を介して適応される複数のタップを有したフィルターを含み、前記パイロットチャネルは、前記少なくとも１つの他のチャネルで送信される；および
前記推定されたパイロットを抽出し、前記推定されたパイロットを前記適応アルゴリズムに供給するコンポーネント。
[35]前記適応アルゴリズムは、反復アルゴリズムである、上記[34]に記載の装置。
[36]前記イコライザーは、ＦＩＲフィルターを具備する、上記[34]に記載の装置。
[37]前記イコライザーはＩＩＲフィルターを具備する、上記[34]に記載の装置。
[38]フィルタリングは、周波数領域で行われる、上記[34]に記載の装置。
[39]前記適応アルゴリズムは、パイロットシンボル間隔ごとに１回前記タップを更新する、上記[34]に記載の装置。
[40]前記適応アルゴリズムは、パイロットシンボル間隔ごとにＮ回前記タップを更新する、但しＮは、任意の正の整数である、上記[34]に記載の装置。
[41]前記適応アルゴリズムは、Ｎ番目のパイロットシンボル間隔ごとに１回前記タップを更新する、ただしＮは１より大きい任意の正の整数である、上記[34]に記載の装置。
[42]前記適応アルゴリズムは、新しいタップ値が収束するまで新しいタップ値に適応し続ける、上記[34]に記載の装置。
[43]前記パイロットチャネルは符号分割多重される、上記[34]に記載の装置。
[44]前記装置は移動局において具現化される、上記[34]に記載の装置。
[45]前記装置は基地局において具現化される、上記[34]に記載の装置。
[46]下記を具備する、移動局が送信された信号を推定する無線通信システムに使用する移動局：
パイロットチャネルおよび少なくとも１つの他のチャネルを含む第１の無線信号を受信する手段；
前記送信された信号を推定する手段、前記推定手段は、前記受信した無線信号から推定された推定パイロットを使用する適応するための手段の使用を介して適応された複数のタップを含み、前記パイロットチャネルは、前記少なくとも１つの他のチャネルで送信された；および
前記推定されたパイロットを抽出し、前記推定されたパイロットを前記適応手段に供給する手段。
【外国語明細書】
2010183618000001.pdf